(57)【要約】      （修正有）【課題】運転中にも複数の単位電池モジュールをワンタッチで個別に分離、結合または入れ替可能な燃料電池及び高温水電解用スタックモジュールの提供。【解決手段】燃料および空気の各給排口を備える複数の単位電池モジュール１０が結合される燃料移送パネル２０を含み、単位電池モジュール１０が燃料移送パネル２０に結合される場合、単位電池モジュール１０の燃料又は空気給排口が、前記燃料および空気循環配管に結合しながら燃料及び空気循環配管の連結を切り、同時に切られた循環配管をブリッジさせて燃料及び空気が単位電池モジュール１０の内部を介して循環するようにし、単位電池モジュール１０が燃料移送パネル２０から分離される場合、燃料及び空気循環配管を元通りに復元する燃料電池。【選択図】図１
2018107124.tif 000002
【特許請求の範囲】
【請求項１】
複数の単位電池モジュール及び前記複数の単位電池モジュールが結合される燃料移送パネルを含み、
前記複数の単位電池モジュールは、それぞれ燃料供給口、空気供給口、燃料排出口及び空気排出口を備えて、
前記燃料移送パネルは、外壁に燃料供給口、燃料排出口、空気供給口及び空気排出口が設けられて、内部に前記燃料供給口及び燃料排出口と連結されている燃料循環配管及び前記空気供給口及び空気排出口と連結されている空気循環配管を備え、
前記単位電池モジュールが燃料移送パネルに結合される場合、単位電池モジュールの燃料供給口及び燃料排出口が、前記燃料循環配管に結合しながら燃料循環配管の連結を切り、同時に切られた燃料循環配管をブリッジさせて燃料が単位電池モジュールの内部を介して循環するようにして、同時に空気供給口及び空気排出口が前記空気循環配管に結合しながら空気循環配管の連結を切り、同時に切られた空気循環配管をブリッジさせて空気が単位電池モジュールの内部を介して循環するようにし、
前記単位電池モジュールが燃料移送パネルから分離される場合、燃料循環配管及び空気循環配管を元通りに復元することを特徴とする、燃料電池及び高温水電解用スタックモジュール。
【請求項２】
複数の単位電池モジュール及び前記単位電池モジュールが固定される複数の単位電池モジュール挿入溝を備えた燃料移送パネルを含み、
前記複数の単位電池モジュールは、一端部に、燃料移送パネルの単位電池モジュール挿入溝に挿入及び分離が可能であり、外壁に燃料供給口、空気供給口、燃料排出口及び空気排出口が形成された管状固定手段を備えて、
前記燃料移送パネルは、外壁に燃料供給口、燃料排出口、空気供給口及び空気排出口を備えて、
前記燃料移送パネルの内部に形成された複数の単位電池モジュール挿入溝は、それぞれ燃料供給口、燃料排出口、空気供給口及び空気排出口を備えて、
前記それぞれ挿入溝の燃料供給口及び空気供給口は、隣接する１つの挿入溝の燃料排出口及び空気排出口とそれぞれ燃料循環配管及び空気循環配管によって連通されて、燃料排出口及び空気排出口は、隣接するもう１つの挿入溝の燃料供給口及び空気供給口とそれぞれ燃料循環配管及び空気循環配管によって連通されて、
燃料移送パネルの全体挿入溝のいずれか挿入溝の燃料供給口及び空気供給口は、燃料移送パネルの外壁の燃料供給口及び空気供給口とそれぞれ燃料循環配管及び空気循環配管によって連通されて、もう１つの挿入溝の燃料排出口及び空気排出口は、燃料移送パネル外壁の燃料排出口及び空気排出口とそれぞれ燃料循環配管及び空気循環配管によって連通され、
前記挿入溝には、単位電池モジュールが挿入されていない状態で、挿入溝に備えた燃料供給口と燃料排出口及び空気供給口と空気排出口をそれぞれ連通されるように連結させる２つの配管を含む配管プレートが具備されて、前記配管プレートは、弾性部材を備えて単位電池モジュールが挿入される場合、圧力によって下方に押されて、単位電池モジュールが分離される場合、弾性によって上昇して、挿入溝に含まれている燃料供給口と燃料排出口及び空気供給口と空気排出口をそれぞれ連通されるように連結させることを特徴とする、燃料電池及び高温水電解用スタックモジュール。
【請求項３】
前記単位電池モジュールは、チューブ型であって、燃料電極、電解質層及び空気電極がこの順または逆順に積層されたチューブ状電極積層体を含むことを特徴とする、請求項２に記載の燃料電池及び高温水電解用スタックモジュール。
【請求項４】
前記チューブ型単位電池モジュールは、前記チューブ状電極積層体を内部に収容する外部チューブをさらに含むことを特徴とする、請求項３に記載の燃料電池及び高温水電解用スタックモジュール。
【請求項５】
前記チューブ型単位電池モジュールは、チューブ状電極積層体の中心部を介して燃料ガスが供給されて、外部チューブを介して空気が供給されることを特徴とする、請求項４に記載の燃料電池及び高温水電解用スタックモジュール。
【請求項６】
前記チューブ型単位電池モジュールは、
前記チューブ状電極積層体の内部に挿入して配置された多孔性支持体チューブをさらに含むことを特徴とする、請求項３に記載の燃料電池及び高温水電解用スタックモジュール。
【請求項７】
前記多孔性支持体チューブは、
中空構造のチューブボディーと、
前記チューブボディーの中空内部の中央部に配置された隔壁と、
前記隔壁と離隔した上側及び下側へチューブボディー１２−１の一部をそれぞれ貫通する第１及び第２の開口を有することを特徴とする、請求項６に記載の燃料電池及び高温水電解用スタックモジュール。
【請求項８】
前記多孔性支持体チューブが集電体機能を行うことを特徴とする、請求項６に記載の燃料電池及び高温水電解用スタックモジュール。
【請求項９】
前記外部チューブの外部または内部には熱線をさらに備えることを特徴とする、請求項４に記載の燃料電池及び高温水電解用スタックモジュール。
【請求項１０】
前記外部チューブまたは燃料電池支持体チューブの内部には、熱電対をさらに備えることを特徴とする、請求項４に記載の燃料電池及び高温水電解用スタックモジュール。
【請求項１１】
前記チューブ型単位電池モジュールは、
前記チューブ状電極積層体及び外部チューブの一端部をカバーして、燃料供給口及び空気供給口を備えた第１キャップ；
前記チューブ状電極積層体及び外部チューブの他端部をカバーして、燃料排出口及び空気排出を備えた第２キャップ；
一面に前記第１キャップが固定されて、他面に管状固定手段が固定された固定プレート：及び、
前記第１キャップの燃料供給口と管状固定手段の燃料供給口を連結する第１配管、第１キャップの空気供給口と管状固定手段の空気供給口を連結する第２配管、第２キャップの燃料排出口と管状固定手段の燃料排出口を連結する第３配管、及び第２キャップの空気排出口と管状固定手段の空気排出口を連結する第４配管を含む配管部；をさらに含むことを特徴とする、請求項４に記載の燃料電池及び高温水電解ヨングスタックモジュール。
【請求項１２】
前記第１配管ないし第４配管は、前記プレートを貫通して連結されることを特徴とする、請求項１１に記載の燃料電池及び高温水電解用スタックモジュール。
【請求項１３】
前記固定プレートには、電気配線コネクト端子が管状固定手段の側部に燃料移送パネルに挿脱可能に突き出て設けられて、
前記燃料電極から延びる電気配線及び空気電極から延びる電気配線が前記電気配線コネクト端子の個別端子に連結されて、
前記燃料移送パネルの単位電池モジュール挿入溝それぞれの側部には、前記電気配線コネクト端子が挿入される電気配線コネクト端子収容溝をさらに備えたことを特徴とする、請求項１１に記載の燃料電池及び高温水電解用スタックモジュール。
【請求項１４】
前記燃料移送パネルの内部の電気配線コネクト端子収容溝は、電気配線により相互連結されていることを特徴とする、請求項１１に記載の燃料電池及び高温水電解用スタックモジュール。
【請求項１５】
前記固定プレートには、単位電池モジュールをカバーできる単位電池モジュールハウジングをさらに備えたことを特徴とする、請求項１１に記載の燃料電池及び高温水電解用スタックモジュール。
【請求項１６】
前記管状固定手段の外壁に形成された燃料供給口、空気供給口、燃料排出口及び空気排出口にはシーリング部材をさらに備えて、
燃料移送パネルの内部に形成された複数の単位電池モジュール挿入溝に備えた燃料供給口、燃料排出口、空気供給口及び空気排出口には、シーリング部材をさらに備えることを特徴とする、請求項２に記載の燃料電池及び高温水電解用スタックモジュール。
【請求項１７】
前記燃料電池及び高温水電解用スタックモジュールは、多様な出力密度性能を有する単位電池モジュールを含むことを特徴とする、請求項２に記載の燃料電池及び高温水電解用スタックモディユル。
【請求項１８】
複数の単位電池モジュール及び前記複数の単位電池モジュールが結合される燃料移送パネルを含み、
前記複数の単位電池モジュールは、それぞれ燃料供給口、空気供給口、燃料排出口及び空気排出口を備えて、
前記燃料移送パネルは、外壁に燃料供給口、燃料排出口、空気供給口及び空気排出口が設けられて、内部に前記燃料供給口及び燃料排出口と連結されている燃料循環配管及び前記空気供給口及び空気排出口と連結されている空気循環配管を備える単位電池モジュールの燃料電池及び高温水電解用スタックモジュールにおいて、
前記単位電池モジュールを燃料移送パネルに結合させる場合、単位電池モジュールの燃料供給口及び燃料排出口を前記燃料循環配管に結合して燃料循環配管の連結を切り、同時に切られた燃料循環配管をブリッジさせて燃料が単位電池モジュールの内部を介して循環するようにして、同時に空気供給口及び空気排出口を前記空気循環配管に結合して空気循環配管の連結を切り、同時に切られた空気循環配管をブリッジさせて空気が単位電池モジュールの内部を介して循環するようにし、
前記単位電池モジュールを燃料移送パネルから分離する場合、燃料循環配管及び空気循環配管を元通りに復元することを特徴とする、単位電池モジュールの燃料移送パネルに対する結合及び分離方法。
【発明の詳細な説明】
【技術分野】
【０００１】
本発明は、運転中に個別に入れ替えられる単位電池モジュールを含む燃料電池及び高温水電解用スタックモジュールに関する。
【背景技術】
【０００２】
燃料電池（Ｆｕｅｌ  Ｃｅｌｌ）は天然ガス、石炭ガス、メタノールなど、炭化水素系物質内に含有されている水素と空気中の酸素を電気化学反応によって電気エネルギーに直接変換させる高効率かつ清浄な発電技術である。かかる燃料電池は、使用される電解質の種類によって大きくアルカリ型（ＡＦＣ、Ａｌｋａｌｉｎｅ  Ｆｕｅｌ  Ｃｅｌｌ）、リン酸型（ＰＡＦＣ、Ｐｈｏｓｐｈｏｒｉｃ  Ａｃｉｄ  Ｆｕｅｌ  Ｃｅｌｌ）、溶融炭酸型（ＭＣＦＣ、Ｍｏｌｔｅｎ  Ｃａｒｂｏｎａｔｅ  Ｆｕｅｌ  Ｃｅｌｌ）、固体酸化物（ＳＯＦＣ、Ｓｏｌｉｄ
Ｏｘｉｄｅ Ｆｕｅｌ  Ｃｅｌｌ）及び高分子（ＰＥＭＦＣ、Ｐｏｌｙｍｅｒ  Ｅｌｅｃｔｒｏｌｙｔｅ  Ｍｅｍｂｒａｎｅ  Ｆｕｅｌ  Ｃｅｌｌ）燃料電池に分類される。
【０００３】
高温水電解のための典型的な装置は、７００〜１０００℃で作動する固体酸化物燃料電池（ＳＯＦＣ）技術を応用したものであって、固体酸化物電気分解セル（Ｓｏｌｉｄ  Ｏｘｉｄｅ  Ｅｌｅｃｔｒｏｌｙｚｅｒ
Ｃｅｌｌ−ＳＯＥＣ）と呼ばれる。すなわち、安定化ジルコニア（ｚｉｒｃｏｎｉａ）などを酸素イオン伝導体の電解質として使用して、７５０℃以上の高温で水蒸気を電解する方法で水素を生産する。
【０００４】
燃料電池は、空気極（Ｃａｔｈｏｄｅ）に酸素が供給されて、燃料極（Ａｎｏｄｅ）に水素が供給され、水の電気分解逆反応の形態で電気化学反応が行われながら電気、熱、及び水が発生して、公害を誘発しないながらも高効率の電気エネルギーを生産する。
【０００５】
固体酸化物燃料電池は、比較的に電解質の位置制御が容易であり、電解質の位置が固定しているため、電解質の枯渇というリスクがない。また、固体酸化物燃料電池は、耐腐食性が良く素材の寿命が長いという長所により分散発電用、商業用及び家庭用として脚光を浴びている。また、固体酸化物燃料電池は、６００〜１０００℃位の高温で作動する燃料電池であって、従来の色んな形態の燃料電池のうち一番効率が高くて公害が少ないだけでなく、燃料改質器を必要とせず、複合発電が可能であるという色んな長所を有している。
【０００６】
一方、このような固体酸化物燃料電池は、単位セルだけでは電圧を十分に得られないところ、必要によって、スタック形態で単位セルを連結して使用するが、大きくチューブ型と平板型の２つの形態に区分される。チューブ型は、スタックを構成する単位セルの密封が容易であり、熱応力に対する抵抗性が強いとともに、スタックの機械的強度が高くて、大面積製造可能な進歩した技術であり、これに対する技術研究が活発に行われている。
【０００７】
しかし、上記のようなチューブ型スタックは、一部の単位セルに問題が生じた場合も燃料電池システムの全体作動を停止させて、スタック全体に対してメンテナンス作業をしなければならないという短所を有する。
【先行技術文献】
【特許文献】
【０００８】
【特許文献１】韓国公開特許第１０−２０１２−０００８２７２号
【発明の概要】
【発明が解決しようとする課題】
【０００９】
本発明は、上記のような従来技術の問題を解消するために案出したものであって、運転中にも複数の単位電池モジュールをワンタッチで個別に分離、結合または入れ替れられるように設計されて、燃料電池及び高温水電解用スタックモジュールのメンテナンス費用が安い。また本発明は、１つ以上の単位電池モジュールを燃料移送パネルから分離させる場合も、他の単位電池モジュールを含む燃料電池及び高温水電解スタックモジュールの正常作動が可能であるため、優れた発電効率を提供する。
【００１０】
また、複数の単位電池モジュールを集電するにおいて、燃料移送パネルに内蔵した回路を利用して個別に電気的接地が行われるため、単位電池モジュールの個別コントロールが可能であるだけでなく、集電効率も向上させることができる。
【００１１】
また、単位電池モジュールを個別にカバーする単位電池モジュールハウジングを装着することで、熱の放出を最小限にすることができるだけでなく、単位電池モジュールの内部に備えた熱線によって単位電池モジュールを個別にコントロールできる燃料電池及び高温水電解用スタックモジュールを提供することを目的とする。
【課題を解決するための手段】
【００１２】
本発明は、複数の単位電池モジュール及び前記複数の単位電池モジュールが結合される燃料移送パネルを含む。
【００１３】
前記複数の単位電池モジュールは、それぞれ燃料供給口、空気供給口、燃料排出口及び空気排出口を備える。
【００１４】
前記燃料移送パネルは、外壁に燃料供給口、燃料排出口、空気供給口及び空気排出口が設けられて、内部に前記燃料供給口及び燃料排出口と連結されている燃料循環配管及び前記空気供給口及び空気排出口と連結されている空気循環配管を備える。
【００１５】
前記単位電池モジュールが燃料移送パネルに結合される場合、単位電池モジュールの燃料供給口及び燃料排出口が、前記燃料循環配管に結合しながら燃料循環配管の連結を切り、同時に切られた燃料循環配管をブリッジさせて燃料が単位電池モジュールの内部を介して循環する。これと同時に、空気供給口及び空気排出口が前記空気循環配管に結合しながら空気循環配管の連結を切り、同時に切られた空気循環配管をブリッジさせて空気が単位電池モジュールの内部を介して循環するようにする。
【００１６】
これによって、前記単位電池モジュールが燃料移送パネルから分離される場合、燃料循環配管及び空気循環配管を元通りに復元することを特徴とする、燃料電池及び高温水電解用スタックモジュールを提供する。
【００１７】
また、本発明は、複数の単位電池モジュール及び前記単位電池モジュールが固定される複数の単位電池モジュール挿入溝を備えた燃料移送パネルを含む。
【００１８】
前記複数の単位電池モジュールは、一端部に、燃料移送パネルの単位電池モジュール挿入溝に挿入及び分離可能であり、外壁に燃料供給口、空気供給口、燃料排出口及び空気排出口が形成された管状固定手段を備える。
【００１９】
前記燃料移送パネルは、外壁に燃料供給口、燃料排出口、空気供給口及び空気排出口を備える。
【００２０】
前記燃料移送パネルの内部に形成された複数の単位電池モジュール挿入溝は、それぞれ燃料供給口、燃料排出口、空気供給口及び空気排出口を備える。
【００２１】
前記それぞれの挿入溝の燃料供給口及び空気供給口は、隣接する１つの挿入溝の燃料排出口及び空気排出口とそれぞれ燃料循環配管及び空気循環配管によって連通されて、燃料排出口及び空気排出口は、隣接するもう１つの挿入溝の燃料供給口及び空気供給口とそれぞれ燃料循環配管及び空気循環配管によって連通される。
【００２２】
燃料移送パネルの全体挿入溝のいずれか挿入溝の燃料供給口及び空気供給口は、燃料移送パネルの外壁の燃料供給口及び空気供給口とそれぞれ燃料循環配管及び空気循環配管によって連通されて、もう１つの挿入溝の燃料排出口及び空気排出口は、燃料移送パネルの外壁の燃料排出口及び空気排出口とそれぞれ燃料循環配管及び空気循環配管によって連通される。
【００２３】
前記挿入溝には、単位電池モジュールが挿入されていない状態で、挿入溝に備えた燃料供給口と燃料排出口及び空気供給口と空気排出口をそれぞれ連通されるように連結させる２つの配管を含む配管プレートを備える。前記配管プレートは、弾性部材を備えて単位電池モジュールが挿入される場合、圧力によって下方に押されて、単位電池モジュールが分離される場合、弾性によって上昇して、挿入溝に含まれている燃料供給口と燃料排出口及び空気供給口と空気排出口をそれぞれ連通されるように連結させることを特徴とする、燃料電池及び高温水電解用スタックモジュールを提供する。
【発明の効果】
【００２４】
本発明による燃料電池及び高温水電解用スタックモジュールは、運転中にも複数の単位電池モジュールをワンタッチで個別に分離、結合または入れ替えられるように設計されるため、燃料電池及び高温水電解用スタックモジュールのメンテナンス費用が安いし、１つ以上の単位電池モジュールを燃料移送パネルから分離させる場合も、他の単位電池モジュールを含む燃料電池及び高温水電解用スタックモジュールの正常作動が可能であるため、優れた発電効率を提供する。
【００２５】
また、本発明による燃料電池及び高温水電解用スタックモジュールは、複数のチューブ型単位電池モジュールを集電するにおいて、燃料移送パネルに内蔵した回路を利用して個別に電気的接地が行われるため、単位電池モジュールを個別にコントロールできるだけでなく、集電効率も向上させる効果を提供する。
【００２６】
また、本発明による燃料電池及び高温水電解用スタックモジュールは、チューブ型単位電池モジュールを個別にカバーする単位電池モジュールハウジングを装着することで、熱の放出を最小限にすることができるだけでなく、単位電池モジュールの内部に備えた熱線により、単位電池モジュールを個別にコントロールすることができ、エネルギー効率を最大化することができる。
【図面の簡単な説明】
【００２７】
【図１】本発明の実施形態による燃料電池及び高温水電解用スタックモジュールを示した図面である。
【図２】本発明の実施形態によるチューブ型単位電池モジュールを示した図面である。（（ａ）：前面図、（ｂ）：右側面図）。
【図３】本発明の実施形態によるチューブ型単位電池モジュールの下部構造を示した斜視図である。
【図４】本発明の実施形態による燃料移送パネルの構造を示した斜視図である。
【図５】本発明の実施形態による燃料移送パネルに含まれている１つのセルの構造を示した斜視図である。
【図６】本発明の実施形態による燃料移送パネルに含まれている１つのセルを示した断面図である（（ａ）：前面図、（ｂ）：右側面図）。
【図７】本発明の実施形態による燃料移送パネルに含まれている１つのセルにチューブ型単位電池モジュールの管状固定手段が挿入された形態を示した断面図である（（ａ）：前面図、（ｂ）：右側面図）。
【図８】本発明の実施形態による燃料電池及び高温水電解用スタックモジュールであって、１つのチューブ型単位電池モジュールが分離された形態を示した図面である。
【図９】本発明の実施形態によるチューブ型単位電池モジュールの上部構造を示した図面である。
【図１０】本発明の実施形態による燃料電池及び高温水電解用スタックモジュールであって、単位電池モジュールハウジングを備えた形態を示した図面である。
【図１１】本発明の実施形態によるチューブ型単位電池モジュールの結合構造を説明するための図面である。
【図１２】本発明の実施形態によるチューブ型単位電池モジュールの結合構造を説明するための図面である。
【図１３】本発明の実施形態によるチューブ型単位電池モジュールのガス移動経路を説明するための図面である。
【図１４】本発明の実施形態によるチューブ型単位電池モジュールのガス移動経路を説明するための図面である。
【発明を実施するための形態】
【００２８】
以下、添付図面を参考して本発明の望ましい実施形態について詳説する。本発明を説明するに先立ち、関連する公知の機能及び構成に対する具体的な説明が本発明の要旨を曖昧にすると判断される場合にはその説明を省略する。
【００２９】
下記の説明と図面は、説明する装置と方法を当業者が容易に実施できるように特定実施形態を例示する。他の実施形態は、構造的かつ論理的に異なる変形を含む。個別構成要素と機能は、明確に要求されない限り、一般的に選択することができ、過程の順序は変えてもよい。幾つの実施形態の部分と特徴は、他の実施形態に含まれるか他の実施形態に取り替えてもよい。
【００３０】
図１は、本発明の実施形態による燃料電池及び高温水電解用スタックモジュールを示した図面であり、図２は、本発明の実施形態によるチューブ型単位電池モジュールを示した図面で（（ａ）：前面図、（ｂ）：右側面図）、図３は、本発明の実施形態によるチューブ型単位電池モジュールの下部構造を示した斜視図である。
【００３１】
また、図４は、本発明の実施形態による燃料移送パネルの構造を示した斜視図であり、図５は、本発明の実施形態による燃料移送パネルに含まれている１つのセルの構造を示した斜視図で、図６は、本発明の実施形態による燃料移送パネルに含まれている１つのセルを示した断面図（（ａ）：前面図、（ｂ）：右側面図）である。
【００３２】
また、図７は、本発明の実施形態による燃料移送パネルに含まれている１つのセルにチューブ型単位電池モジュールの管状固定手段が挿入された形態を示した断面図（（ａ）：前面図、（ｂ）：右側面図）であり、図８は、本発明の実施形態による燃料電池及び高温水電解用スタックモジュールであって、１つのチューブ型単位電池モジュールが分離された形態を示した図面で、図９は、本発明の実施形態によるチューブ型単位電池モジュールの上部構造を示した図面である。
【００３３】
図１ないし図９に示されたように、本発明は、複数の単位電池モジュール１０及び前記複数の単位電池モジュール１０が結合される燃料移送パネル２０を含む。
【００３４】
前記複数の単位電池モジュール１０は、それぞれ図２及び図３に示されたように、燃料供給口１１−１、空気供給口１１−３、燃料排出口１１−２及び空気排出口１１−４を備える。
【００３５】
前記燃料移送パネル２０は、図４及び図５に示されたように、外壁に燃料供給口２０−１、燃料排出口２０−２、空気供給口２０−３及び空気排出口２０−４が設けられて、内部に前記燃料供給口２０−１及び燃料排出口２０−２と連結されている燃料循環配管２２−１及び前記空気供給口２０−３及び空気排出口２０−４と連結されている空気循環配管２２−２を備える。
【００３６】
前記単位電池モジュール１０が燃料移送パネル２０に結合される場合、単位電池モジュールの燃料供給口２０−１及び燃料排出口２０−２が前記燃料循環配管２２−１に結合しながら燃料循環配管の連結を切り、同時に切られた燃料循環配管をブリッジさせて燃料が単位電池モジュール１０の内部を介して循環するようにする。これと同時に、空気供給口２０−３及び空気排出口２０−４が前記空気循環配管２２−２に結合しながら空気循環配管の連結を切り、同時に切られた空気循環配管をブリッジさせて空気が単位電池モジュール１０の内部を介して循環するようになる。
【００３７】
これによって、本発明の実施形態による燃料電池及び高温水電解用スタックモジュールは、単位電池モジュール１０が燃料移送パネル２０から分離される場合、燃料循環配管２２−１及び空気循環配管２２−２を元通りに復元することを特徴とする。
【００３８】
前記燃料電池及び高温水電解用スタックモジュールを構成する構成要素についしては、前記記述した技術的特徴を具現できるものであれば、この分野で公知されている技術的構成を制限なく採用することができる。また、下記の具体的な実施形態において記述されるあらゆる内容も適用することができる。
【００３９】
本発明において、単位電池モジュールの形態は特に限定されず、この分野で公知されたあらゆる形態を適用することができる。
【００４０】
また、本発明の燃料電池及び高温水電解用スタックモジュールにおいて、高温水電解は例えば、固体酸化物燃料電池（ＳＯＦＣ）スタックモジュールを利用して行うことができる。
【００４１】
以下において、本発明の燃料電池及び高温水電解用スタックモジュールのさらに具体的な形態を紹介する。本発明は、図１ないし図９に示されたように、複数のチューブ型単位電池モジュール１０及び前記単位電池モジュール１０が固定される複数の単位電池モジュール挿入溝２１を備えた燃料移送パネル２０を含む。
【００４２】
前記複数の単位電池モジュール１０は、図２ないし図４に示されたように、一端部に、燃料移送パネル２０の単位電池モジュール挿入溝２１に挿入および分離が可能であり、外壁に燃料供給口１１−１、空気供給口１１−３、燃料排出口１１−２及び空気排出口１１−４が形成された管状固定手段１１を備える。
【００４３】
前記燃料移送パネル２０は、図４及び図５に示されたように、外壁に燃料供給口２０−１、燃料排出口２０−２、空気供給口２０−３及び空気排出口２０−４を備える。
【００４４】
前記燃料移送パネル２０の内部に形成された複数の単位電池モジュール挿入溝２１は、それぞれ燃料供給口２１−１、燃料排出口２１−２、空気供給口２１−３及び空気排出口２１−４を備える。
【００４５】
それぞれの挿入溝２１の燃料供給口２１−１及び空気供給口２１−３は、隣接する１つの挿入溝２１の燃料排出口２１−２及び空気排出口２１−４とそれぞれ燃料循環配管２２−１及び空気循環配管２２−２によって連通されて、燃料排出口２１−２及び空気排出口２１−４は、隣接するもう１つの挿入溝２１の燃料供給口２１−１及び空気供給口２１−３とそれぞれ燃料循環配管２２−１及び空気循環配管２２−２によって連通される。
【００４６】
燃料移送パネル２０の全体挿入溝２１のいずれか挿入溝２１の燃料供給口２１−１及び空気供給口２１−３は、燃料移送パネル２０の外壁の燃料供給口２０−１及び空気供給口２０−３とそれぞれ配管２２によって連通される。そして、もう１つの挿入溝２１の燃料排出口２１−２及び空気排出口２１−４は、燃料移送パネル２０の外壁の燃料排出口２０−２及び空気排出口２０−４とそれぞれ配管２２によって連通される。
【００４７】
前記挿入溝２１には、図５ないし図７に示されたように、単位電池モジュール１０が挿入されていない状態で、挿入溝２１に備えた燃料供給口２１−１と燃料排出口２１−２及び空気供給口２１−３と空気排出口２１−４をそれぞれ連通されるように連結させる２つの配管２３−１、２３−２を含む配管プレート２３が具備される。前記配管プレート２３は、弾性部材２４を備えて、単位電池モジュール１０が挿入される場合、圧力によって下方に押されて、単位電池モジュール１０が分離される場合、弾性によって上昇して、挿入溝２１に含まれている燃料供給口２１−１と燃料排出口２１−２及び空気供給口２１−３と空気排出口２１−４をそれぞれ連通されるように連結させることを特徴とする、燃料電池及び高温水電解用スタックモジュールに関する。
【００４８】
上記における燃料移送パネル２０は、直方体状を有するが、これに制限されるものではなく、様々な形状を適用することができる。このような複数の単位電池モジュール挿入溝２１は、複数のチューブ型単位電池モジュール１０数と同じ数に設計されることが望ましい。
【００４９】
図４では、複数の単位電池モジュール挿入溝２１が２×５マトリックス配列に設計されたと示したが、これは例示的なものであり、複数の単位電池モジュール挿入溝２１は、設計の目的によって様々な形態に変更して設計することができる。すなわち、複数の単位電池モジュール挿入溝２１は、燃料移送パネル２０の内部に少なくとも２つ以上が１列以上備える。
【００５０】
上記における弾性部材２４は、特に限定されず、この分野で公知されたものを制限なく使用することができる。例えば、スプリングなどの弾性部材を使用することができる。
【００５１】
上記における燃料循環配管２２−１及び空気循環配管２２−２は、燃料移送パネル２０の内部に挿入して配置される。
【００５２】
前記複数のチューブ型単位電池モジュール１０は、燃料移送パネル２０の挿入溝２１に挟んで結合することができる。このように、ワンタッチ型に設計される場合、必要によって、いつでも個別に単位電池モジュール１０を結合、分離及び入れ替えが可能であり、メンテナンスが容易であるという構造的な利点を有する。
【００５３】
本発明の燃料電池及び高温水電解用スタックモジュールにおいて、燃料としては、この分野で公知されたものを制限なく使用することができ、例えばメタン系ガス、アンモニア系ガス、ＣＯ２ガス、ＣＯガスなどを利用することができる。例えば、単位電池モジュール１０の内部へＣＯ２及びＣＯのうち１種以上のガスが供給されることで、ＳＯＦＣ（ｓｏｌｉｄ  ｏｘｉｄｅ  ｆｕｅｌ  ｃｅｌｌ）反応とＳＯＥＣ（ｓｏｌｉｄ  ｏｘｉｄｅ  ｅｌｅｃｔｒｏｌｙｚｅｒ  ｃｅｌｌ）反応が可逆的に行われて、この結果、充放電が可能であり、大容量のエネルギーを貯蔵できるようになる。
【００５４】
また、燃料としてメタン系、アンモニア系合成ガスが供給される場合、ＳＯＦＣ（ｓｏｌｉｄ  ｏｘｉｄｅ  ｆｕｅｌ  ｃｅｌｌ）反応とＳＯＥＣ（ｓｏｌｉｄ  ｏｘｉｄｅ  ｅｌｅｃｔｒｏｌｙｚｅｒ  ｃｅｌｌ）を活用して、高温酸素イオン伝導体の電気化学膜反応によってメタン系、アンモニア系合成ガスを生産することができる。
【００５５】
本発明の燃料電池及び高温水電解用スタックモジュールは、図４及び図８に示されたように、単位電池モジュール１０のうち１つ以上を故障などの理由で燃料移送パネル２０から分離しなければならない場合も、燃料電池の作動を止めない状態で分離することができるという特徴を有する。
【００５６】
すなわち、燃料移送パネル２０に結合されている単位電池モジュール１０のうち１つ以上が分離されても、単位電池モジュール１０が分離された単位電池モジュール挿入溝２１は、２つの配管２３−１、２３−２を含む配管プレート２３が弾性によって上昇しながら、燃料供給口２１−１と燃料排出口２１−２及び空気供給口２１−３と空気排出口２１−４をそれぞれ連通されるように連結させる。これによって、燃料電池は、残っている単位電池モジュール１０によって続けて正常作動できるようになる。
【００５７】
また、前記分離された単位電池モジュール１０が正常機能を行える場合、燃料電池の作動を止めない状態でも、必要な際にはいつでも分離された単位電池モジュール１０を燃料移送パネル２０に結合して使用することができる。
【００５８】
したがって、本発明の燃料電池及び高温水電解用スタックモジュールは、個別の単位電池モジュール１０に対する作動不良が発生する場合も、燃料電池の作動を維持した状態で、単位電池モジュール１０の個別メンテナンスを便利に行えるため、メンテナンス費用が安いし、発電効率にとても優れた特徴を有する。
【００５９】
本発明の燃料電池及び高温水電解用スタックモジュールにおいて、チューブ型単位電池モジュール１０の形態は、上述した機能を行える形態である場合には特に限定されない。
【００６０】
前記チューブ型単位電池モジュール１０の形態を具体的に例えて説明すると、図９に示されたとおりである。前記チューブ型単位電池モジュール１０は、燃料電極１３−１、電解質層１３−２及び空気電極１３−３が、この順に積層されたチューブ状電極積層体１３を含む。前記電極積層体において、燃料電極１３−１は、一番内側のチューブを形成して、その上に電解質層１３−２及び空気電極１３−３を積層させる支持体として作用することもできる。また、空気電極１３−３が一番内側のチューブを形成して、その上に電解質層１３−２及び燃料電極１３−１を積層させる支持体として作用することもできる。
【００６１】
上記における電極積層体１３の形態は、特に限定されず、この分野で使用されている形態を制限なく使用することができる。
【００６２】
前記チューブ型単位電池モジュール１０は、前記チューブ状電極積層体１３を内部に収容する外部チューブ１４をさらに含む。前記外部チューブ１４は、電極積層体１３を外部で密封する機能を行う。
【００６３】
前記チューブ型単位電池モジュール１０は、チューブ状電極積層体１３の中心部を介して燃料ガスが供給されて、外部チューブ１４を介して空気が供給される。この場合、外部チューブ１４を備えない場合にはチューブ型単位電池モジュール１０に共通して外部から空気を供給することになる。
【００６４】
しかし、チューブ状電極積層体１３の中心部を介してガスを供給して、外部チューブ１４を介して燃料が供給されるように構成することも可能である。但し、効率上、面積が広い外部チューブ１４の内部を介して空気が供給されるようにすることがさらに望ましい。
【００６５】
前記チューブ状電極積層体１３の内部には、多孔性支持体チューブ１２をさらに含み、この場合、前記多孔性支持体チューブ１２は、集電体機能を行うこともできる。
【００６６】
前記外部チューブ１４の内部または外部には、単位電池モジュール１０を加熱するための熱線（未図示）をさらに備えてもよい。例えば、前記熱線は、外部チューブ１４の外表面に間隔を開けて螺旋状に巻かれるか、外部チューブ１４の内壁に螺旋状に埋め込まれる方式に具備される。このような熱線は、単位電池モジュール１０を例えば、６００〜８００℃の温度で加熱するように設定されるが、これに制限されるものではない。このように、外部チューブ１４に熱線を装着する場合、別途ヒーティング装置は不要であるため、単位電池モジュールの嵩を減少させることができる。
【００６７】
前記外部チューブ１４は、高温で耐熱性に優れながら密封性に優れた材質で形成することが望ましくて、例えばクォーツ（ｑｕａｒｔｚ）、アルミナ（ａｌｕｍｉｎａ）などの材質が使用される。
【００６８】
前記外部チューブ１４または燃料電池支持体チューブ１２の内部には、単位電池モジュールの温度を感知する働きを担う熱電対（未図示）が内蔵される。
【００６９】
本発明の実施形態による個別コントロール方式の燃料電池及び高温水電解用スタックモジュールは、前記外部チューブ１４によって単位セルの中空内部に供給される燃料を完璧に密封させることが可能になるため、ＳＯＦＣ（ｓｏｌｉｄ  ｏｘｉｄｅ  ｆｕｅｌ  ｃｅｌｌ）反応及びＳＯＥＣ（ｓｏｌｉｄ  ｏｘｉｄｅ  ｅｌｅｃｔｒｏｌｙｚｅｒ  ｃｅｌｌ）反応による可逆性を確保することができ、充放電が可能である。さらに、本発明の実施形態による個別コントロール方式の燃料電池および高温水電解用スタックモジュールは、完璧な密封構造の設計によって従来のＳＯＦＣ／ＳＯＥＣスタックと同様、合成ガスの回収及び合成ガスの発生時に、炭素の沈着による耐久性の低下及び集電効率の低下などの問題を補うことができ、メタンの合成ガスはもちろんアンモニアを生産できる構造を有する。
【００７０】
図３及び図９に示されたように、本発明の燃料電池及び高温水電解用スタックモジュールにおいて、前記固定プレート１７には、電気配線コネクト端子１９が管状固定手段１１の側部に燃料移送パネルに挿脱可能に突き出て設けられる。前記燃料電極１３−１の２つの地点から延びる電気配線１９−１及び空気電極１３−２の２つの地点から延びる電気配線１９−１は、前記電気配線コネクト端子１９の個別端子に連結される。また、前記熱線の両端から延びる電気配線及び熱電対から延びる電気配線も前記電気配線コネクト端子１９の個別端子に連結される。
【００７１】
前記燃料移送パネル２０の単位電池モジュール挿入溝１１のそれぞれ側部には、図４に示されたように、前記電気配線コネクト端子１９が挿入される電気配線コネクト端子収容溝２５をさらに備える（図５参照）。
【００７２】
前記電気配線コネクト端子収容溝２５は、燃料移送パネル２０の内部を介して電気配線によって他の電気配線コネクト端子収容溝と連結されて、複数の単位電池モジュールを連結させるか、個別リレーを介して中央制御機（ｃｐｕ）に連結される。
【００７３】
前記電気配線が個別リレーを介して中央制御機（ｃｐｕ）に連結される場合は、ソフトウェア及び回路設計によって個別単位電池モジュールの温度ヒーティングをモニタリングしてコントロールすることができる。これによって、個別に燃料電極及び空気電極に電流を集電するか供給することができ、個別回路でそれぞれのセルをさらに並列または直列に連結して発電させることができる。したがって、本発明の実施形態による個別コントロール方式の燃料電池及び高温水電解用スタックモジュールは、個別ヒーティングコントロール方式で駆動することができるという長所を有する。
【００７４】
また、複数の単位電池モジュール１０を集電するにおいて、燃料移送パネル２０に内蔵した回路を利用して、複数の単位電池モジュール１０が個別に電気的接地が行われるため、集電効率を向上させるだけでなく、別途インタコネクタを設ける必要がなくて構造の単純化を図ることができる。
【００７５】
前記燃料電極１３−１及び空気電極１３−３それぞれとしては、この分野で公知されたものを制限なく使用することができる。例えば、銀白金、ニッケル、パラジウム、銀、ランタニウム、ペロブスカイト系酸化物、イットリウムまたはスカンジウムがドーピングされたジルコニア、ガドリニウム（ｇａｄｏｌｉｎｉｕｍ）、サマリウム（sａｍａｒｉｕｍ）、ランタニウム（ｌａｎｔｈａｎｉｕｍ）、イッテルビウム（ｙｔｔｅｒｂｉｕｍ）及びネオジム（ｎｅｏｄｙｍｉｕｍ）のうち１種以上がドーピングされたセリアを含む酸素イオン伝導体；ゼオライト、ランタニウムまたはカルシウムがドーピングされたストロンチウムマンガン酸化物（ＬＳＭ）；ランタニウムストロンチウムコバルト鉄酸化物（ＬＳＣＦ）；酸化ニッケル（ＮｉＯ）；炭化タングステン；Ｐｄ；Ｐｄ−Ａｇ合金；及びＶのうち１種以上を含む水素イオン伝導性金属が使用される。
【００７６】
電解質層１３−２としては、この分野で公知されたものを制限なく使用することができる。例えば、銀炭化水素系高分子、フッ素系高分子、イットリア安定化ジルコニア、（Ｌａ，Ｓｒ）（Ｇａ，Ｍｇ）Ｏ３、Ｂａ（Ｚｒ，Ｙ）Ｏ３、ＧＤＣ（Ｇｄ  ｄｏｐｅｄ
ＣｅＯ２）、ＹＤＣ（Ｙ２Ｏ３ ｄｏｐｅｄ ＣｅＯ３）、ＹＳＺ（Ｙｔｔｒｉｕｍ  ｓｔａｂｉｌｉｚｅｄ
ｚｉｒｃｏｎｉａ）、スカンジウム安定化ジルコニア（ＳｃＳＺ（Ｓｃａｎｄｉｕｍ  ｓｔａｂｉｌｉｚｅｄ
ｚｉｒｃｏｎｉａ））などが利用される。
【００７７】
本発明の燃料電池及び高温水電解用スタックモジュールにおいて、チューブ型単位電池モジュール１０は、図２、図３、及び図９に示されたように、前記チューブ状電極積層体１３及び外部チューブ１４の一端部をカバーして、燃料供給口１５−１及び空気供給口１５−２を備えた第１キャップ１５；前記チューブ状電極積層体１３及び外部チューブ１４の他端部をカバーして、燃料排出口１６−１及び空気排出口１６−２を備えた第２キャップ１６；一面に前記第１キャップ１５が固定されて、他面に管状固定手段１１が固定された固定プレート１７：及び前記第１キャップ１５の燃料供給口１５−１と管状固定手段１１の燃料供給口１１−１を連結する第１配管１８−１、第１キャップ１５の空気供給口１５−２と管状固定手段１１の空気供給口１１−３を連結する第２配管１８−３、第２キャップ１６の燃料排出口１６−１と管状固定手段１１の燃料排出口１１−２を連結する第３配管１８−２、及び第２キャップ１６の空気排出口１６−２と管状固定手段１１の空気排出口１１−４を連結する第４配管１８−４を含む配管部；をさらに含む。
【００７８】
前記第１配管ないし第４配管１８−１，１８−３，１８−２，１８−４は、前記プレート１７を貫通して連結される。
【００７９】
前記単位電池モジュール１０の管状固定手段１１には、図２、図３、及び図７に示されたように、管状固定手段１１が燃料移送パネル２０の内部に形成された単位電池モジュール挿入溝２１に挿入される場合、これらの結合が堅固に維持されるようにするためのフック１１−５をさらに備える。図２において、（ａ）は前面図を示し、（ｂ）は右側面図を示す。
【００８０】
前記固定プレート１７には、図１０に示されたように、単位電池モジュールをカバーできる単位電池モジュールハウジング３０をさらに備える。このように、個別単位電池モジュールハウジングを備える場合は、単位電池モジュールの熱の放出を最小限にすることができるだけでなく、個別ヒーティングによって単位電池モジュールを個別にコントロールすることが可能であり、エネルギー効率を最大化することができる。
【００８１】
本発明の燃料電池及び高温水電解用スタックモジュールにおいて、前記管状固定手段１１の外壁に形成された燃料供給口１１−１、空気供給口１１−３、燃料排出口１１−２及び空気排出口１１−４にはシーリング部材をさらに備える。
【００８２】
また、燃料移送パネル２０の内部に形成された複数の単位電池モジュール挿入溝２１に備えた燃料供給口２１−１、燃料排出口２１−２、空気供給口２１−３及び空気排出口２１−４にはシーリング部材２６をさらに備える（図６及び図７参照）。
【００８３】
本発明の燃料電池及び高温水電解用スタックモジュールは、特性が同様である複数の単位電池モジュールを使用するだけでなく、それぞれ特性が異なる単位電池モジュールを組み合わせて使用することもできる。例えば、図４において、燃料移送パネル２０に設けられた単位電池モジュール挿入溝２１に順次に燃料効率が異なる単位電池モジュールを結合して、全体燃料利用の効率が１００％になるように燃料電池及び高温水電解用スタックモジュールを構成することもできる。
【００８４】
具体的には、１番の単位電池モジュールに供給される燃料は、水素が１００％であるが、１番の単位電池モジュールを経て出た燃料は、単位電池の発電によって水素とスチーム（水分）を含む。したがって、前記１番の単位電池モジュールに繋いで連結されている２番の単位電池モジュールには、水素とスチーム（水分）を含む燃料が供給されるため、２番の単位電池モジュールとしては、１番の単位電池モジュールと出力密度性能が異なるものを配置して、全体燃料の利用率を向上させることができる。このような形態は、後で繋いで連結される３番の後に単位電池モジュールにも適用される。
【００８５】
また、本発明は、前記燃料電池及び高温水電解用スタックモジュールが２つ以上結合されてなる燃料電池及び高温水電解用スタックモジュール積層体を提供する。
【００８６】
前記燃料電池及び高温水電解用スタックモジュールは、水平積層方式で積層されるか、または垂直積層方式で積層される。また、垂直積層及び水平積層が混合した水平／垂直の混合型積層方式で積層されてもよい。
【００８７】
前記燃料電池及び高温水電解用スタックモジュールの間の燃料供給口、燃料排出口、空気供給口、及び空気排出口の連結は、この分野で通常行われる方法で行われる。
【００８８】
また、本発明は、複数の単位電池モジュール１０及び前記複数の単位電池モジュールが結合される燃料移送パネル２０を含む。
【００８９】
前記複数の単位電池モジュール１０は、それぞれ図２及び図３に示されたように、燃料供給口１１−１、空気供給口１１−３、燃料排出口１１−２及び空気排出口１１−４を備える。
【００９０】
前記燃料移送パネル２０は、図４及び図５に示されたように、外壁に燃料供給口２０−１、燃料排出口２０−２、空気供給口２０−３及び空気排出口２０−４が設けられて、内部に前記燃料供給口２０−１及び燃料排出口２０−２と連結されている燃料循環配管２２−１及び前記空気供給口２０−３及び空気排出口２０−４と連結されている空気循環配管２２−２を備える。
【００９１】
前記単位電池モジュール１０を燃料移送パネル２０に結合させる場合、単位電池モジュールの燃料供給口２０−１及び燃料排出口２０−２を前記燃料循環配管２２−１に結合して燃料循環配管の連結を切り、同時に切られた燃料循環配管をブリッジさせて燃料が単位電池モジュールの内部を介して循環するようにする。単位電池モジュール１０の空気供給口２０−３及び空気排出口２０−４を前記空気循環配管２２−２に結合して空気循環配管の連結を切り、同時に切られた空気循環配管をブリッジさせて空気が単位電池モジュール１０の内部を介して循環するようにする。
【００９２】
前記単位電池モジュール１０を燃料移送パネル２０から分離させる場合、燃料循環配管２２−１及び空気循環配管２２−２を元通りに復元することを特徴とする、単位電池モジュールの燃料移送パネルに対する結合及び分離方法を提供する。
【００９３】
前記方法では、上述した燃料電池及び高温水電解用スタックモジュールに関するあらゆる内容を適用することができる。したがって、重複する内容の記載は省略する。
【００９４】
一方、図１１及び図１２は、本発明の実施形態によるチューブ型単位電池モジュールの結合構造を説明するための図面である。
【００９５】
図１１及び図１２に示されたように、本発明の実施形態によるチューブ型単位電池モジュール（図９の１０）は、チューブ状電極積層体１３と、チューブ状電極積層体１３と一定間隔で離隔して、電極積層体１３の内部の中心に挿入される多孔性支持体チューブ１２を含む。
【００９６】
このとき、多孔性支持体チューブ１２は、中空構造のチューブボディー１２−１と、チューブボディー１２−１の中空内部の中央部に配置された隔壁１２−２と、隔壁１２−２と離隔した上側及び下側へチューブボディー１２−１の一部をそれぞれ貫通する第１及び第２の開口（Ｇ１，Ｇ２）を有する。これによって、多孔性支持体チューブ１２は、隔壁１２−２により中央部が塞いだ構造を有するものの、第１及び第２の開口（Ｇ１，Ｇ２）により一部が開けた構造を有する。
【００９７】
電極積層体１３は、多孔性支持体チューブ１２と一定間隔で離隔して配置され、両側の端が内部シーリング剤４５によってシーリング処理されて多孔性支持体チューブ１２に固定される。この結果、電極積層体１３の内部は、密閉構造を有する。このように、内部シーリング剤４５で電極積層体１３の端をシーリングすることにより、多孔性支持体チューブ１２の中空内部と電極積層体１３の内部を循環する燃料ガスは、電極積層体１３と外部チューブ（図１３の１４）の間の空間を循環する空気と相互混合するおそれがなくなる。
【００９８】
このような電極積層体１３は、図９及び図１２に示されたように、燃料電極１３−１、電解質層１３−２及び空気電極１３−３が順次積層される構造を有する。これによって、電極積層体１３の内面に燃料電極１３−１が配置されて、電極積層体１３の外面に空気電極１３−３が配置される。
【００９９】
また、チューブ型単位電池モジュールは、燃料電極連結線４０及び空気電極連結線４２をさらに含む。このとき、燃料電極連結線４０は、多孔性支持体チューブ１２の外周面にコイリングされて、電極積層体１３の燃料電極１３−１と電気的に接続される。また、空気電極連結線４２は、電極積層体１３の外周面にコイリングされて電極積層体１３の空気電極１３−３と電気的に接続される。
【０１００】
図１３及び図１４は、本発明の実施形態によるチューブ型単位電池モジュールのガス移動経路を説明するための図面である。このとき、図１３は、チューブ型単位電池モジュールにおける燃料ガスの移動経路を示したものであり、図１４は、チューブ型単位電池モジュールにおける空気の移動経路を示したものである。
【０１０１】
まず、図１３に示されたように、チューブボディー１２−１の下端の中空内部へ燃料ガスが供給されると、多孔性支持体チューブ１２の隔壁１２−２により上側方向への燃料ガスの流れが遮られながら、隔壁１２−２と離隔した下側に配置される第２開口（Ｇ２）により多孔性支持体チューブ１２と電極積層体１３の間の空間へ燃料ガスが拡散して供給される。その後、隔壁１２−２と離隔した上側に配置される第１開口（Ｇ１）を介してさらにチューブボディー１２−１の上端へ燃料ガスが抜けるようになる。この結果、多孔性支持体チューブ１２と電極積層体１３の間の空間に流入される燃料ガスの気体拡散により電極積層体１３の内面に配置される燃料電極（図９の１３−１）が燃料ガスと反応するようになる。
【０１０２】
一方、図１４に示されたように、空気供給口１５−２を介して供給される空気は、電極積層体１３と外部チューブ１４の間の空間に流入されて上側に移動した後、空気排出口１６−２を介して外部に排出される。この結果、電極積層体１３と外部チューブ１４の間の空間に流入される空気は、電極積層体１３の外面に配置される空気電極（図９の１３−３）と反応することになる。
【０１０３】
たとえ、本発明が上記で言及した望ましい実施形態について説明されたが、発明の要旨と範囲から脱せずに多様な修正や変形を加えることが可能である。したがって、添付した特許請求の範囲は、本発明の要旨に属する限り、このような修正や変形を含む。
【符号の説明】
【０１０４】
１０：単位電池モジュール
１１：管状固定手段
１１−１：燃料供給口
１１−２：燃料排出口
１１−３：空気供給口
１１−４：空気排出口
１２：多孔性支持体チューブ
１３：電極積層体
１３−１：燃料電極
１３−２：電解質層
１３−３：空気電極
１４：外部チューブ
１５：第１キャップ
１５−１：燃料供給口
１５−２：空気供給口
１５−３：電気配線引出口
１５−４：温度制御配線引出口
１１−５：フック
１６：第２キャップ  
１６−１：燃料排出口
１６−２：空気排出口
１６−３：電気配線引出口
１７：固定プレート
１８−１：第１配管
１８−２：第３配管  
１８−３：第２配管
１８−４：第４配管
１９：電気配線コネクト端子
１９−１：電気配線
２０：燃料移送パネル
２０−１：燃料供給口
２０−２：燃料排出口
２０−３：空気供給口
２０−４：空気排出口
２１：単位電池モジュール挿入溝
２１−１：燃料供給口
２１−２：燃料排出口
２１−３：空気供給口
２１−４：空気排出口
２２−１：燃料循環配管
２２−２：空気循環配管
２３：配管プレート
２３−１，２３−２：配管
２４：弾性部材
２５：電気配線コネクト端子収容溝 
３０：単位電池モジュールハウジング
【図１】
2018107124.tif 000003
【図２】
2018107124.tif 000004
【図３】
2018107124.tif 000005
【図４】
2018107124.tif 000006
【図５】
2018107124.tif 000007
【図６】
2018107124.tif 000008
【図７】
2018107124.tif 000009
【図８】
2018107124.tif 000010
【図９】
2018107124.tif 000011
【図１０】
2018107124.tif 000012
【図１１】
2018107124.tif 000013
【図１２】
2018107124.tif 000014
【図１３】
2018107124.tif 000015
【図１４】
2018107124.tif 000016